(57)【要約】      （修正有）【課題】様々な形状の容器に使用できる容器カバーを提供する。【解決手段】グラスカバー１は、繊維を編み込んで形成されており、グラスＧの底面が載置される底部３と、底部３から立ち上がってグラスＧの外周面を覆う胴部２とを備えている。胴部２には、上縁部から底部３側に沿って延びた切込部４と、切込部４を挟んだ胴部２の一方側から他方側に延びた着脱部５と、切込部４を挟んだ胴部２の他方側の縁部と、着脱部５とを面ファスナー６，７で着脱自在に結合する。【選択図】図１
2011025978.tif 000002
【特許請求の範囲】
【請求項１】
容器が載置される底部と、前記底部から立ち上がって前記容器の外周面を覆う胴部とを備えて繊維を編み込んで形成され、
前記胴部には、上縁部から前記底部側に沿って延びた切込部と、
前記切込部を挟んだ前記胴部の一方側から他方側に延びた着脱部と、
前記切込部を挟んだ前記胴部の前記他方側の縁部と、前記着脱部とを着脱自在に結合する着脱手段と、
を備えることを特徴とする容器カバー。
【請求項２】
前記胴部は、周方向に沿って延びた横紐部と、前記横紐部と交差して前記胴部の軸心方向に延びた縦紐部とが、互いに編み込まれて構成されていることを特徴とする請求項１に記載の容器カバー。
【発明の詳細な説明】
【技術分野】
【０００１】
本発明は、底部に載置された容器の外周を底部から立ち上がった胴部で覆う容器カバーに関する。
【背景技術】
【０００２】
この種の容器カバーとして、下記の特許文献１にはコースター兼ホルダーが開示されている。このコースター兼ホルダーは、編み糸や毛糸を編み込んで形成されており、コップ等の載置される底部と、底部から立ち上がって底部に載置されたコップ等の外周面を覆う立上がり部分とを備えている。このコースター兼ホルダーを用いることで、コップ等の載置面やコップ等を把持した手がぬれるのを防止し、ホットドリンクも素手で持つことができる。
【先行技術文献】
【特許文献】
【０００３】
【特許文献１】登録実用新案第３０６７０６９号公報
【発明の概要】
【発明が解決しようとする課題】
【０００４】
上記従来のコースター兼ホルダーでは、取っ手を備える容器に使用できなかった。
【０００５】
本発明は斯かる課題に鑑みてなされたもので、様々な形状の容器に使用できる容器カバーを提供することを目的とする。
【課題を解決するための手段】
【０００６】
このような目的を達成するために、本発明の容器カバーは、容器が載置される底部と、前記底部から立ち上がって前記容器外周面を覆う胴部とを備えて繊維を編み込んで形成され、前記胴部には、上縁部から前記底部側に沿って延びた切込部と、前記切込部を挟んだ前記胴部の一方側から他方側に延びた着脱部と、前記切込部を挟んだ前記胴部の前記他方側の縁部と、前記着脱部とを着脱自在に結合する着脱手段と、を備えることを特徴とする。
また、本発明は、前記胴部が、周方向に沿って延びた横紐部と、前記横紐部と交差して前記胴部の軸心方向に延びた縦紐部とが、互いに編み込まれて構成されていることを特徴とする。
【発明の効果】
【０００７】
本発明によれば、切込部を挟んだ胴部の一方側から延びた着脱部を、他方側の縁部に着脱手段で着脱することで、取っ手を備える容器等の様々な形状の容器に容器カバーを使用することができる。
【図面の簡単な説明】
【０００８】
【図１】本発明の一実施形態の容器カバーを示す図であり、（ａ）は切込部を閉じた状態，（ｂ）は開いた状態を示している。
【図２】図１に示す容器カバーの底部を示す図である。
【図３】図１に示す容器カバーを取っ手を備えたグラスに装着する方法を示す図であり、（ａ）は切込部を閉じた状態，（ｂ）は開いた状態を示している。
【発明を実施するための形態】
【０００９】
以下、図面を参照して、本発明の最良の形態を説明する。
図１は、本実施形態のグラスカバー１を示す図であり、（ａ）は切込部４を開いた状態，（ｂ）は閉じた状態を示している。図２は、グラスカバー１の底部３を示す図である。図３は、取っ手Ｇ１を備えたグラスＧにグラスカバー１を装着する方法を示す図であり、（ａ）は切込部４を閉じた状態，（ｂ）は開いた状態を示している。
【００１０】
グラスカバー１は、化学繊維の編み糸や毛糸等の繊維を編み込んで形成されている。図１，図２に示すように、グラスカバー１は、グラスＧが載置される底部３と、底部３から立ち上がってグラスＧの外周面を覆う筒状の胴部２とを備えており、胴部２の上端開口部から胴部２内に挿入されたグラスＧを底部３に載置され、胴部２でグラスＧの外周面を覆うようになっている。
【００１１】
胴部２は、周方向に沿って延びた横紐部２２と、横紐部２２と交差して上下方向に延びた縦紐部２１とを互いに編み込んで構成されており、隣り合う横紐部２２間には間隙が設けられている。胴部２は、上縁部から底部３側に向けて延びた切込部４と、切込部４を挟んだ胴部２の一方側から他方側に延びた着脱部５とを備えている。
【００１２】
着脱部５は、胴部２の周方向に沿って延びた横紐部５２と、横紐部５２と交差して上下方向に延びた縦紐部５１とを、縦紐部２１及び横紐部２２よりも細かな目で編み込んで構成されている。
【００１３】
切込部４を挟んだ胴部２の他方側の縁部には、面ファスナー６が縫い付けられている。着脱部５の内面には、面ファスナー６に貼り付く面ファスナー７が縫い付けられている。面ファスナー６，７は、着脱部５を胴部２の他方側の縁部に着脱させる着脱手段を構成している。
【００１４】
底部３は、底部３の経方向に沿って延びた径紐部３１と底部３の周方向に沿って延びた周紐部３２とを、胴部２の縦紐部２１及び横紐部２２に比べて目が細かくなるように、互いに編み込んで形成されている。
【００１５】
グラスカバー１の使用方法の一例として、取っ手Ｇ１を備えたグラスＧへのグラスカバー１の装着方法を説明する。
【００１６】
取っ手Ｇ１を備えたグラスＧにグラスカバー１を装着する場合には、図１（ａ）に示す状態から、図１（ｂ）に示すように面ファスナー６から面ファスナー７を剥がして、胴部２の他方側の縁部に対する着脱部５の結合を解く。これにより、上縁部から胴部２の切込部４に取っ手Ｇ１を挿通させることができるようになる。
【００１７】
この状態で、図３（ａ）に示すように、グラスカバー１の胴部２に上端側からグラスＧを挿入して、胴部２の切込部４に取っ手Ｇ１を挿通させ、グラスＧが底部３に載置されて取っ手Ｇ１が切込部４の下端部に位置したのを確認したら、図３（ｂ）に示すように、グラスＧの外周面から突出した取っ手Ｇ１の脚部間に着脱部５を通して面ファスナー６に面ファスナー７を貼り付け、胴部２の他方側の縁部に着脱部５を結合する。このようにして、グラスカバー１がグラスＧに装着される。
【００１８】
グラスカバー１がグラスＧに装着された状態では、胴部２の縦紐部２１及び横紐部２２の間からグラスＧを通して透明なグラスＧの内部が視認される。また、横紐部２２の延設された胴部２の周方向がグラスＧの周方向と一致することから、胴部２及びグラスＧを通して視認されるグラスＧの内容物の上面と横紐部２２との位置関係により、グラスＧ内の内容物の量を把握することが出来る。
【００１９】
本実施形態によれば、胴部２の一方側から延びた着脱部５と他方側の縁部とを面ファスナー６，７で着脱自在に結合して、胴部２の上縁部から底部３側に向けて延びた切込部４を開閉できることから、取っ手Ｇ１を切込部４に挿通させて着脱部５と胴部２の他方側の縁部とを連結し、切込部４を閉じることで、取っ手Ｇ１を備えるグラスＧにもグラスカバー１を使用することができる。
【００２０】
また、本実施形態によれば、胴部２が胴部２の周方向に沿って延びた横紐部２２と、横紐部２２と交差して上下方向方向に延びた縦紐部２１とを互いに編み込んで構成されることから、胴部２に外周面を覆われたグラスＧを、胴部２を通して視認することができ、グラスカバー１をグラスＧに装着したまま、グラスＧの内容物を確認することが出来る。また、胴部２の周方向に沿って延びた横紐部２を目盛りとして用いることができる。
【００２１】
また、本実施形態によれば、吸水性の高い毛糸等の繊維を編み込んでグラスカバー１が形成されていることから、グラスＧの外周面や底面に付着した水滴でグラスＧの載置面やグラスＧを把持する手がぬれるのを防止できる。また、グラスカバー１を洗濯や漂白して繰り返し使用することも可能となる。また、編み込まれた繊維が伸縮することでも多様な容器グラスＧに使用することが可能となる。また、繊維を編み込んで形成することで、温かみのある印象を与えることができる。
【００２２】
上記実施形態では、胴部２の他方側の縁部に縫い付けられた面ファスナー６と着脱部５に縫い付けられた面ファスナー７とで胴部２の他方側の縁部と着脱部５とを着脱自在に結合した場合について説明したが、面ファスナー６及び面ファスナー７の胴部２への取付方法は任意であり、例えば、接着剤で接着しても良い。また、胴部２の他方側の縁部と着脱部５とを着脱自在に結合する着脱手段は、面ファスナー６，７には限定されず、他の手段を用いることもできる。
【００２３】
また、上記実施形態では、胴部２の周方向に沿って延びた横紐部２２と交差する縦紐部２１が上下方向に延びている場合について説明したが、縦紐部２１は横紐部２２と交差して延びているのであれば、その延設方向は任意である。また、上記実施形態では、胴部２が１組の切込部４，着脱部５を備えている場合について説明したが、複数組の切込部４，着脱部５を備えていても良い。また、上記実施形態では、グラスＧに用いるグラスカバー１に本発明の容器カバーを適用した場合について説明したが、容器カバーを用いる容器の種類はグラスには限定されず、他の容器にも用いることができる。
【符号の説明】
【００２４】
Ｇ        グラス
Ｇ１      取っ手
１        容器カバー
２        胴部
２１      縦紐部
２２      横紐部
３        底部
３１      径紐部
３２      周紐部
４        切込部
５        着脱部
５１      縦紐部
５２      横紐部
６，７    面ファスナー
【図１】
2011025978.tif 000003
【図２】
2011025978.tif 000004
【図３】
2011025978.tif 000005